(57)【要約】【課題】穴が開く前に分岐配管の摩耗状況が分かる液体ホーニング装置を提供することを課題とする。【解決手段】分岐配管２０は、円柱形状であり、透明な材料であるポリウレタンで形成されている。分岐配管２０の内部には、スラリーを通す主通路３６と、攪拌用経路２２に接続される分岐通路３７と、ボルト３８を通すボルト穴３９とが、設けられている。分岐配管２０は、フランジ４１、４２に接続され、ボルト３８がボルト穴３９に通され、ナット４３を締め付けることで固定される。【効果】分岐配管が透明であるため分岐配管の内部を外から目視で確認することができ、内部の摩耗状況が分かるので、穴が開く前に分岐配管を交換し、スラリーの漏れを防止することができる。【選択図】図２
2010201574.tif 000002
【特許請求の範囲】
【請求項１】
砥粒を含む液体ホーニング用のスラリーを貯留するスラリー貯留部と、このスラリー貯留部から前記スラリーを汲み上げるポンプと、このポンプで送り出されたスラリーを噴射用経路と前記スラリー貯留部へ戻してスラリーを攪拌させる攪拌用経路とに分岐させる分岐経路と、前記噴射用経路の先端に設けられ前記スラリーを噴射する噴射ガンと、を備える液体ホーニング装置において、
前記ポンプとの接続部材は、透明な材料で形成されていることを特徴とする液体ホーニング装置。
【請求項２】
前記透明な材料は、ポリウレタンであることを特徴とする請求項１記載の液体ホーニング装置。
【請求項３】
前記接続部材の内部を照らす照明が、前記接続部材の近傍に備えられていることを特徴とする請求項１又は請求項２記載の液体ホーニング装置。
【発明の詳細な説明】
【技術分野】
【０００１】
本発明は、砥粒を含むスラリーを噴射する液体ホーニング装置に関する。
【背景技術】
【０００２】
従来、砥粒を含む液体ホーニング用のスラリーを循環させるスラリー循環機構を備えた液体ホーニング装置が実用に供されている（例えば、特許文献１（第１図）、特許文献２（図２）参照。）。
【０００３】
特許文献１の第１図において、ホーニング用ポンプ（３４）（括弧番号は、引用文献の図面の符号を示す。）で送り出されたスラリーは、一部がホーニングガン（３６）から噴射され、残部が排出管（３２）を介して砥粒液層（２）へ送られ、攪拌作用を発揮する。スラリーの攪拌技術は、特許文献２の図２にも記載されている。
【０００４】
この特許文献２の技術を図面に基づいて以下に説明する。
図８に示すように、液体ホーニング装置１００において、スラリー貯留室１０１に設けられているスラリー攪拌小屋１０２内のスラリーは、スラリー貯留室１０１上部のスラリーと共に、第１ポンプ１０３で汲み上げられる。第１ポンプ１０３で送り出されたスラリーは噴射ガン１０４から加工室１０５内に噴射される。
【０００５】
他方、スラリー貯留室１０１上部のスラリーは、第２ポンプ１０６で吸引され、攪拌用経路１０７または補助経路１０８を通り、スラリー攪拌小屋１０２に吐出される。このように、スラリーを循環させることで、スラリーは攪拌される。
【０００６】
ところで、攪拌用経路１０７と補助経路１０８とに分岐させる分岐配管１０９は、ポンプ１０６の近傍にあり、第２ポンプ１０６内で渦を巻いた水流のため、摩耗により穴が開くことがある。分岐配管１０９の配管を交換することで対応するが、穴が開いてからではスラリーが漏れてしまう。すなわち、穴が開く前に第２ポンプ１０６との接続部材としての分岐配管１０９の摩耗状況が分かる液体ホーニング装置が求められている。
【先行技術文献】
【特許文献】
【０００７】
【特許文献１】特公平２−５８０６１号公報
【特許文献２】特公昭６１−３４９４６号公報
【発明の概要】
【発明が解決しようとする課題】
【０００８】
本発明は、穴が開く前に接続部材の摩耗状況が分かる液体ホーニング装置を提供することを課題とする。
【課題を解決するための手段】
【０００９】
請求項１に係る発明は、砥粒を含む液体ホーニング用のスラリーを貯留するスラリー貯留部と、このスラリー貯留部から前記スラリーを汲み上げるポンプと、このポンプで送り出されたスラリーを噴射用経路と前記スラリー貯留部へ戻してスラリーを攪拌させる攪拌用経路とに分岐させる分岐経路と、前記噴射用経路の先端に設けられ前記スラリーを噴射する噴射ガンと、を備える液体ホーニング装置において、前記ポンプとの接続部材は、透明な材料で形成されていることを特徴とする。
【００１０】
請求項２に係る発明では、透明な材料は、ポリウレタンであることを特徴とする。
【００１１】
請求項３に係る発明は、接続部材の内部を照らす照明が、接続部材の近傍に備えられていることを特徴とする。
【発明の効果】
【００１２】
請求項１に係る発明では、ポンプとの接続部材は、透明な材料で形成されている。接続部材が透明であるため接続部材の内部を外から目視で確認することができ、内部の摩耗状況が分かるので、穴が開く前に接続部材を交換し、スラリーの漏れを防止することができる。
加えて、接続部材を使用可能限度まで使用するので、接続部材の交換時期を適切にでき、消耗品である接続部材のコスト低減を図ることができる。
【００１３】
請求項２に係る発明では、透明な材料は、ポリウレタンである。ポリウレタンは、摩耗性に優れているので、耐久性を向上させることができる。
加えて、ポリウレタンは安価であるので、接続部材のコストを低減することができる。
さらには、加工が容易であるので、加工コストも低減することができる。
【００１４】
請求項３に係る発明では、接続部材の内部を照らす照明が、接続部材の近傍に備えられている。接続部材内部を明るくすることができるので、目視確認を容易に、かつ、確実にすることができる。
【図面の簡単な説明】
【００１５】
【図１】本発明に係る液体ホーニング装置の基本構成を説明する図である。
【図２】本発明に係る分岐配管の斜視図である。
【図３】本発明に係る分岐配管の断面図である。
【図４】本発明に係る液体ホーニング装置の作用図である。
【図５】分岐配管の摩耗状態を説明する図である。
【図６】本発明に係る接続部材の耐久性を示す図である。
【図７】本発明に係る別実施例の液体ホーニング装置の基本構成を説明する図である。
【図８】従来の技術の基本原理を説明する図である。
【発明を実施するための形態】
【００１６】
本発明の実施の形態を添付図に基づいて以下に説明する。なお、図面は符号の向きに見るものとする。
【実施例１】
【００１７】
本発明の実施例を図面に基づいて説明する。
図１に示されるように、液体ホーニング装置１０は、ベース１１と、このベース１１に設けられ鉛直方向に延びている脚１２、１２と、これらの脚１２、１２の上端部に設けられ砥粒を含む液体ホーニング用のスラリー１３を貯留するスラリー貯留部１４と、このスラリー貯留部１４に差し込まれスラリー１３を導く誘導経路１５と、スラリー貯留部１４に設けられ誘導経路１５を固定する固定部材１６と、スラリー貯留部１４から誘導経路１５を介してスラリー１３を汲み上げるポンプ１７と、このポンプ１７の近傍に設けられポンプ１７を駆動させる駆動源１８と、ポンプ１７に接続されている接続部材としての分岐配管２０と、ポンプ１７で送り出されたスラリー１３を噴射用経路２１とスラリー貯留部１４へ戻してスラリー１３を攪拌させる攪拌用経路２２とに分岐させる分岐経路２３と、分岐配管２０の近傍に備えられ分岐配管２０の内部を照らす照明２４と、スラリー貯留部に設けられ攪拌用経路を固定する固定部材２５と、噴射用経路２１の先端に設けられスラリー１３を噴射する噴射ガン２６と、この噴射ガン２６に接続され噴射ガン２６に圧縮空気を送る圧縮空気経路２７と、スラリー貯留部１４内に設けられワーク２８を支持する支持台３１と、この支持台３１とスラリー貯留部１４の内壁３２に囲まれている加工室３３と、この加工室３３に臨むように設けられワーク２８の出し入れ用のドア３４と、を備えている。なお、スラリー貯留部１４、誘導経路１５、ポンプ１７、分岐配管２０、攪拌用経路２２、噴射用経路２１及び噴射ガンで、スラリー循環機構３５を構成する。
【００１８】
図２に示されるように、接続部材としての分岐配管２０は、円柱形状であり、例えば透明な材料であるポリウレタンで形成されている。分岐配管２０の内部には、スラリー（図１、符号１３）を通す主通路３６と、攪拌用経路２２に接続される分岐通路３７と、ボルト３８を通すボルト穴３９とが、設けられている。
【００１９】
分岐配管２０は、フランジ４１、４２に接続され、ボルト３８がボルト穴３９に通され、ナット４３を締め付けることで固定される。
また、分岐配管２０は、円柱状のとポリウレタンに穴を開けるだけの、簡易な加工で作成されるので、加工コストを低減させることができる。
【００２０】
なお、透明な材料は、ポリウレタンに限定されず、ポリスチレン、ポリカーボネート、ポリエステル、ガラスなど、透明でスラリーを通過させることができれば他の材料であっても差し支えない。
【００２１】
図３に示されるように、接続部材としての分岐配管２０は、ガスケット４４、４４を挟んでフランジ４１、４２に固定されている。
また、分岐通路３７は、ボルト穴３９、３８の間を通過するように配置されているので、スラリー（図１、符号１３）がボルト穴３９、３８を介して漏れる心配はない。
【００２２】
以上の述べた液体ホーニング装置の作用を次に述べる。
図４において、ポンプ１７で汲み上げられたスラリー１３は、矢印（１）のように、スラリー貯留部１４から誘導経路１５を介して接続部材としての分岐配管２０に送り出される。スラリー１３は、分岐配管２０で二手に分かれる。
一方は、矢印（２）のように、噴射用経路２１を通り、矢印（３）のように、噴射ガン２６に送られる。圧縮ポンプ４５で圧縮された空気は、矢印（４）のように、圧縮空気経路２７を通り、噴射ガン２６でスラリー１３と合流し、スラリー１３を噴射させ、ワーク２８の表面処理を行う。
他方、分岐されたスラリー１３は、矢印（５）のように、攪拌用経路２２を通り、矢印（６）のように、スラリー貯留部１４に戻される。これにより、スラリー貯留部１４内のスラリー１３が、攪拌される。
【００２３】
また、分岐配管２０内部の摩耗状況を確認する際は、矢印（７）のように、照明２４を照らし、目視で確認することができる。
【００２４】
図５において、（ａ）は比較例の摩耗状態を説明する図であり、分岐配管１１０は、Ｔ字の鋼管である。スラリーは、矢印（８）のように主通路１１１を通るものと、矢印（９）のように分岐通路１１２を通るものとに分岐される。使用時間が経過するにつれて、ポンプ内で渦を巻いた水流のため、ポンプ近傍に配置された分岐配管１１０には、内側から摩耗による摩耗部１１３が形成され、最終的には摩耗部１１３に穴が開く。
【００２５】
摩耗部１１３に、穴が完全に開いてからではスラリーが漏れてしまう。また、摩耗状態を確認する度に、ボルト１１４及びナット１１５を介して固定された分岐配管１１０を取り外して内側を確認していたのでは、手間がかかる。
【００２６】
（ｂ）は実施例の摩耗状態を説明する図であり、スラリーは、矢印（１０）のように主通路３６を通るものと、矢印（１１）のように分岐通路３７を介して攪拌用経路２２を通るものとに分岐される。使用時間が経過するにつれて、ポンプ内で渦を巻いた水流のため、ポンプ近傍に配置された接続部材としての分岐配管２０には、内側から摩耗による摩耗部４６が形成される。
【００２７】
分岐配管２０は透明であるので、分岐配管２０を取り外すことなく、外側から摩耗状態（減肉状況）を目視確認することができる。また、矢印（１２）のように、照明２４を照らすことで、容易に、かつ、確実に摩耗状態を確認することができる。これにより、適切な時期に分岐配管２０を交換することができ、スラリーの漏れを防止し、作業効率の向上を図ることができる。
【００２８】
図６に示されるように、発明者は同条件の下、比較例の分岐配管（図５、符号１１０）と、実施例の分岐配管（図５、符号２０）との寿命時間を比較実験したところ、比較例の分岐配管１１０が２週間で交換する必要が生じるのに対し、実施例の分岐配管２０では約１０倍長持ちする結果を得た。これは、実施例の分岐配管２０の材料であるポリウレタンが、耐摩耗性に優れていることによる。
【００２９】
また、実施例の分岐配管２０においては、材料のポリウレタンが安価であり、穴を開けるだけの簡単な加工で作成できるので製造コストも安価であり、交換の回数も少なくて済むことから、液体ホーニング装置（図１、符号１０）全体のコストも低減することができる。
【実施例２】
【００３０】
次に本発明の実施例２を図面に基づいて説明する。
図７において、図１と同様の部材で構成されている部分は、符号を流用して詳細な説明は省略する。
液体ホーニング装置１０は、ポンプ１７には、接続部材としてのＩ字配管５０が接続され、このＩ字配管５０に鋼材分岐配管５１が接続されている。
【００３１】
Ｉ字配管５０は、円柱形状であり、例えば透明な材料であるポリウレタンで形成されている。Ｉ字配管５０は、フランジ（図２、符号４２）、鋼材分岐配管５１に接続され、ボルト（図２、符号３８）がボルト穴（図２、符号３９）に通され、ナット（図２、符号４３）を締め付けることで固定される。
また、Ｉ字配管は５０は、円柱状のとポリウレタンに穴を開けるだけの、簡易な加工で作成されるので、加工コストを低減させることができる。
【００３２】
なお、透明な材料は、ポリウレタンに限定されず、ポリスチレン、ポリカーボネート、ポリエステル、ガラスなど、透明でスラリーを通過させることができれば他の材料であっても差し支えない。
【００３３】
以上の述べた実施例２の液体ホーニング装置の作用を次に述べる。
図７において、図４と同様の部分は、説明を省略する。
ポンプ１７で汲み上げられたスラリー１３は、スラリー貯留部１４から誘導経路１５を介してＩ字配管５０に送り出される。スラリー１３は、鋼材分岐配管５１で二手に分かれる。
【００３４】
使用時間が経過するにつれて、ポンプ内で渦を巻いた水流のため、ポンプ近傍に配置されたＩ字配管５０は、内側から摩耗する。
Ｉ字配管５０は透明であるので、Ｉ字配管５０を取り外すことなく、外側から摩耗状態（減肉状況）を目視確認することができる。また、照明２４を照らすことで、容易に、かつ、確実に摩耗状態を確認することができる。これにより、適切な時期にＩ字配管２０を交換することができ、スラリーの漏れを防止し、作業効率の向上を図ることができる。
【００３５】
尚、本発明に係る液体ホーニング装置の接続部材は、実施の形態では砥粒を含むスラリーに適用したが、化学反応により配管材料を劣化させる液体にも適用可能であり、一般の接続部材に適用することは差し支えない。
【産業上の利用可能性】
【００３６】
本発明の液体ホーニング装置は、砥粒を含むスラリーを噴射する液体ホーニング装置に好適である。
【符号の説明】
【００３７】
１０…液体ホーニング装置、１３…スラリー、１４…スラリー貯留部、１７…ポンプ、２０…接続部材（分岐配管）、２１…噴射用経路、２２…攪拌用経路、２３…分岐経路、２４…照明、２６…噴射ガン、２８…ワーク、３５…スラリー循環機構、４６…摩耗部、５０…接続部材（Ｉ字配管）。
【図１】
2010201574.tif 000003
【図２】
2010201574.tif 000004
【図３】
2010201574.tif 000005
【図４】
2010201574.tif 000006
【図５】
2010201574.tif 000007
【図６】
2010201574.tif 000008
【図７】
2010201574.tif 000009
【図８】
2010201574.tif 000010